(57)【要約】      （修正有）【課題】停止位置に位置する引き戸をスムーズに施錠することが可能な案内器具を提供する。【解決手段】案内器具１０は、停止位置に位置する引き戸３０から突出部２４を突出させ、上側ガイド３２の壁部に設けた進入領域２３に進入させることで、引き戸３０をロックするロック装置２に用いられる。引き戸３０が停止位置に向かう移動方向を停止方向とし、その反対を非停止方向とする。案内器具１０は、非停止方向側に進入領域２３と並んで配置され、且つ、ロック装置２の突出部側に面する誘導面１１を備える。誘導面１１は、誘導面の縁に位置し、互いに対面する停止側縁部１２及び非停止側縁部１１ａと、傾斜領域とを有する。誘導面１１の配置時に、停止側縁部１１ａは進入領域２３に沿って位置し、傾斜領域１１は、停止方向に向かうにつれ壁部に接近する傾斜を有する。【選択図】図２
2017210791.tif 000002
【特許請求の範囲】
【請求項１】
予め定められた移動方向に移動する移動部材のロック装置に用いられる案内器具であって、
前記ロック装置は、予め定められた停止位置に位置する前記移動部材から、前記移動方向の側方に突出部を突出させ、前記突出部を壁部に設けられた進入領域に進入させることで、前記移動部材をロックし、
前記移動部材が前記停止位置に向かう前記移動方向を、停止方向とすると共に、前記停止方向の反対に向かう前記移動方向を、非停止方向とし、
前記案内器具は、前記進入領域の前記非停止方向側に前記進入領域と並んだ状態で、前記壁部に沿って配置され、且つ、前記突出部が位置する側に面する面状の誘導部を備え、
前記誘導部は、
当該誘導部の縁に位置し、当該誘導部が前記壁部に沿って配置された際に、前記進入領域に沿って位置する停止側縁部と、
当該誘導部の縁に位置し、前記停止側縁部に対面する非停止側縁部と、
当該誘導部が前記壁部に沿って配置された際に、前記停止方向に向かうにつれ前記壁部に接近する傾斜を有する状態となる傾斜領域と、
を有する案内器具。
【請求項２】
請求項１に記載の案内器具において、
前記案内器具は、板状の部材であり、
前記誘導部は、当該案内器具の厚さ方向に向かう当該案内器具の外面であり、
前記案内器具は、前記誘導部に対面する当該案内器具の外面であり、前記誘導部が前記壁部に沿って配置された際に、前記壁部に面する状態となる取付部を、
さらに備える案内器具。
【請求項３】
請求項１又は請求項２に記載の案内器具において、
前記移動部材は、物体を通過させるために建造物に設けられた通過口を開閉するため、前記通過口を横切りながら横に延びる前記移動方向に移動する板状の部材であり、前記停止位置に位置する際には、前記通過口の少なくとも一部が当該移動部材により閉鎖された状態となり、
前記進入領域は、前記移動部材の上方又は下方に位置する
案内器具。
【発明の詳細な説明】
【技術分野】
【０００１】
本開示は、移動部材を停止位置でロックするための技術に関する。
【背景技術】
【０００２】
建物側の扉枠に設けられた受け穴に、扉から突出するデッドボルトを挿入することで扉をロックする錠前が知られている。特許文献１には、このような錠前において、デッドボルトの先端をテーパ状にすると共に、受け穴を奥側に向かうにつれ細くすることが記載されている。これにより、扉や扉枠の建付けが悪い場合であっても、デッドボルト及び受け穴の傾斜により、施錠時にスムーズにデッドボルトを受け穴に挿入できる。
【先行技術文献】
【特許文献】
【０００３】
【特許文献１】特開２００８−２５５６２０号公報
【発明の概要】
【発明が解決しようとする課題】
【０００４】
しかしながら、扉が出入口を閉鎖する位置に到達する前に、ユーザにより施錠がなされる場合がある。このような場合には、デッドボルトは、受け穴とは異なる位置に向かって突出し、扉枠等に衝突する。このため、スムーズに施錠することができなくなる。
【０００５】
本開示は、スムーズに施錠を行うことを目的とする。
【課題を解決するための手段】
【０００６】
本開示は、予め定められた移動方向に移動する移動部材のロック装置に用いられる案内器具に関する。ロック装置は、予め定められた停止位置に位置する移動部材から、移動方向の側方に突出部を突出させ、突出部を壁部に設けられた進入領域に進入させることで、移動部材をロックする。ここで、移動部材が停止位置に向かう移動方向を、停止方向とすると共に、停止方向の反対に向かう移動方向を、非停止方向とする。
【０００７】
案内器具は、進入領域の非停止方向側に進入領域と並んだ状態で、壁部に沿って配置され、且つ、突出部が位置する側に面する面状の誘導部を備える。誘導部は、停止側縁部と、非停止側縁部と、傾斜領域と、を有する。停止側縁部は、誘導部の縁に位置し、誘導部が壁部に沿って配置された際に、進入領域に沿って位置する。また、非停止側縁部は、誘導部の縁に位置し、停止側縁部に対面する。また、傾斜領域は、誘導部が壁部に沿って配置された際に、停止方向に向かうにつれ壁部に接近する傾斜を有する状態となる。
【０００８】
このような構成によれば、案内器具の誘導部は、移動部材の突出部側に面し、且つ、非停止方向側で進入領域と並んだ状態で配置される。また、誘導部は、停止方向に向かうにつれ壁部に接近する傾斜を有する。このため、停止方向に移動する移動部材から突出した突出部が誘導部に衝突した場合に、該突出部を停止方向に向かわせ、進入領域に誘導することが可能となる。したがって、移動部材が停止位置に到達する前に施錠された場合であっても、スムーズに施錠を行うことが可能となる。
【０００９】
なお、案内器具は、板状の部材であっても良い。また、誘導部は、案内器具の厚さ方向に向かう案内器具の外面であっても良い。また、案内器具は、誘導部に対面する当該案内器具の外面であり、誘導部が壁部に沿って配置された際に、壁部に面する状態となる取付部を、さらに備えても良い。
【００１０】
このような構成によれば、案内器具の配置スペースを抑制でき、案内器具の取り付けが容易となる。このため、案内器具を様々な移動部材のロック装置に用いることができる。
また、移動部材は、物体を通過させるために建造物に設けられた通過口を開閉するため、通過口を横切りながら横に延びる移動方向に移動する板状の部材であり、停止位置に位置する際には、通過口の少なくとも一部が当該移動部材により閉鎖された状態となっても良い。また、進入領域は、移動部材の上方又は下方に位置しても良い。
【００１１】
このような構成によれば、通過口を横方向に移動しながら通過口を開閉する移動部材に対し、スムーズに施錠を行うことが可能となる。
【図面の簡単な説明】
【００１２】
【図１】図１Ａは、本実施形態の案内器具の斜視図である。図１Ｂは、本実施形態の案内器具の側面図である。図１Ｃは、本実施形態の案内器具を停止側縁部側から見た前面図である。図１Ｄは、本実施形態の案内器具の平面図である。図１Ｅは、案内器具が用いられた引き戸の説明図である。
【図２】図２Ａは、本実施形態の案内器具が取り付けられたロック装置の金具の平面図である。図２Ｂは、本実施形態の案内器具が取り付けられたロック装置の説明図である。図２Ｃ〜２Ｅは、本実施形態の案内器具により、ロック装置の突出部が進入領域に誘導される様子を示した説明図である。
【発明を実施するための形態】
【００１３】
以下、図面を参照しながら、発明を実施するための形態を説明する。
［１．構成］
図１Ａ〜１Ｄに示す案内器具１０は、面状の部位である誘導面１１及び取付面１６と、停止側縁部１２と、非停止側側面１５と、横側面１３，１４とを有する。案内器具１０は、弾性を有する板状の部材として構成される。具体的には、案内器具１０は、例えば、樹脂により構成されていても良い。無論、案内器具１０は、樹脂以外の弾性を有する材料により構成されていても良い。また、案内器具１０は、弾性を有しない材料により構成されていても良い。また、例えば、誘導面１１を含む部分等、案内器具１０の一部を弾性を有する樹脂等の材料により構成し、他の部分は別の材料で構成しても良い。
【００１４】
誘導面１１、取付面１６、非停止側側面１５、及び、横側面１３，１４は、案内器具１０の外面である。誘導面１１及び取付面１６は、案内器具１０の厚さ方向に向かう平面である。換言すれば、これらの面は厚さ方向に対面する。本実施形態では、誘導面１１及び取付面１６は、一例として矩形の平面となっているが、これに限定されることなく、様々な形状とすることができる。また、誘導面１１及び取付面１６は、平面に限らず、例えば、湾曲した面であっても良いし、凹凸を有していても良い。
【００１５】
ここで、非停止側側面１５と交差する誘導面１１の縁部を、非停止側縁部１１ａと記載する。停止側縁部１２、非停止側縁部１１ａ、非停止側側面１５、及び、横側面１３，１４は、取付面１６及び誘導面１１の縁に位置する。また、停止側縁部１２及び非停止側縁部１１ａは、取付面１６及び誘導面１１を挟んで対面する。
【００１６】
誘導面１１は、取付面１６に対し傾斜を有しており、横側面１３，１４は細長い三角形状である。より詳しくは、停止側縁部１２は横側面１３，１４の頂点を結び、停止側縁部１２にて誘導面１１と取付面１６とが交差する。つまり、非停止側縁部１１ａから停止側縁部１２に向かうにつれ、誘導面１１と取付面１６との間隔が短くなる。換言すれば、非停止側縁部１１ａから停止側縁部１２に向かうにつれ、案内器具１０の厚さが縮小する。
【００１７】
案内器具１０は、ユーザから加えられた力により、予め定められた移動方向に移動する移動部材のロック装置に用いられる。なお、移動部材は、モータ等により移動経路を移動するよう構成されていても良い。
【００１８】
ロック装置は、予め定められた停止位置に位置する移動部材から、移動方向の側方に突出部を突出させ、突出部を壁部に設けられた進入領域に進入させる。これにより、移動部材は、停止位置にてロックされる（換言すれば、固定される）。また、ロック装置は、進入領域に進入した突出部を進入領域の外部に移動させることで、ロックを解除する。なお、ロック装置は、例えば、ユーザが鍵やサムターン等の操作部を操作して施錠又は開錠を行う際に加えられた力により、突出部を移動させても良い。また、ロック装置は、例えば、ユーザによる施錠操作又は開錠操作に応じて電気的な制御により突出部を移動させても良い。
【００１９】
以後、移動部材が停止位置に向かう移動方向を、停止方向とすると共に、停止方向の反対に向かう移動方向を、非停止方向とする。
移動部材は、一例として、物体を通過させるために建造物等に設けられた通過口を開閉する板状の部材であっても良い。移動部材は、通過口を開閉するため、通過口を横切りながら横に延びる移動方向に移動する。より詳しくは、移動部材は、通過口を含んで面状に広がる領域を、通過口の全部又は一部を塞いだ状態で横に移動する。ここで、建造物とは、例えば、家屋、ビル、又は塀等が考えられる。また、通過口とは、人、車両、又は空気等の物体を通過させるため、建造物の壁面に設けられた部位であり、例えば、出入り口又は窓等が考えられる。移動部材が停止位置に位置する際には、通過口の少なくとも一部が当該移動部材により閉鎖された状態となる。この時、ロック装置による移動部材のロックが可能となる。
【００２０】
より具体的には、図１Ｅに示すように、移動部材は、例えば、建造物に設けられた出入口３１を開閉する引き戸３０であっても良い。引き戸３０は、ユーザから加えられた力により、出入口３１に沿って水平方向又は略水平方向に移動することで、出入口３１を開閉する。引き戸３０は、出入口３１の上側及び下側の枠に設けられたガイド３２，３３に沿って移動する。なお、ガイド３２，３３は、例えば、レールや溝等として構成されていても良い。そして、図１Ｅでは、一例として、引き戸３０が出入口３１を全て閉鎖した状態になる位置が、停止位置となる。
【００２１】
無論、これに限らず、引き戸３０が出入口３１の一部を閉鎖した状態となる位置を、停止位置としても良い。具体的には、例えば、横に並ぶ２つの引き戸により出入口を開閉する場合において、これらの引き戸にロック装置を設けることが想定される。このような場合には、右側の引き戸については、出入口の右半分を閉鎖した状態となる位置を停止位置としても良い。また、左側の引き戸については、出入口の左半分を閉鎖した状態となる位置を停止位置としても良い。
【００２２】
そして、引き戸３０の上側の縁部における停止方向側の端部と、上側ガイド３２における停止方向側の端部には、ロック装置２が設けられている。図２Ａ，２Ｂに示すように、ロック装置２は、金具２０と、進入領域２３と、突出部２４とを有する。
【００２３】
突出部２４は、施錠時に引き戸３０の上側の縁部から上方に突出する棒状の部位である。
また、進入領域２３は、上側ガイド３２の壁部に形成された細長い孔状の部位である。壁部とは、上側ガイド３２における引き戸３０の上側の縁部に対面する部分である。進入領域２３は、停止位置に位置する引き戸３０の上方に位置する。
【００２４】
図２Ｂに示すように、引き戸３０が停止位置に位置する際に施錠がなされると、突出部２４は、上方に突出するように移動し、進入領域２３に進入する。これにより、引き戸３０がロックされる。また、開錠がなされると、突出部２４は下方に移動し、進入領域２３の外部に位置する状態となり、引き戸３０のロックが解除される。
【００２５】
また、金具２０は、金属で構成された矩形の板状の部材であり、孔部２１を有する。金具２０は、一方の面が上側ガイド３２の壁部に対面し、且つ、その長手方向が上側ガイド３２の長さ方向に沿った状態で、壁部に取り付けられる。この時、孔部２１が進入領域２３の開口に位置する状態となる。このため、施錠時には、ロック装置２の突出部２４は、孔部２１を通過して進入領域２３に進入する。
【００２６】
そして、案内器具１０は、一例として接着剤２２等の取付部材によりにより金具２０に取り付けられる。無論、接着剤２２以外にも、例えば、ネジ等により金具２０に取り付けられても良い。この時、案内器具１０（換言すれば、誘導面１１）は、進入領域２３の非停止方向側に、進入領域２３と並んだ状態で、上側ガイド３２の壁部に沿って配置される。より詳しくは、案内器具１０の取付面１６は、接着剤２２により金具２０に取り付けられ、金具２０（換言すれば、上側ガイド３２の壁部）に対面した状態となる。また、誘導面１１は、停止位置に位置する引き戸３０に対面する状態となる。換言すれば、誘導面１１は、突出部２４が位置する側に面する状態となる。
【００２７】
また、案内器具１０の停止側縁部１２は、金具２０の孔部２１及び進入領域２３に沿った状態で配置される。換言すれば、停止側縁部１２は、孔部２１及び進入領域２３に隣り合う状態となる。このため、誘導面１１は、停止方向に向かうにつれ上側ガイド３２の壁部に接近する傾斜を有する状態となる。
【００２８】
［２．効果］
本実施形態の案内器具１０は、非停止方向側で進入領域２３と並んだ状態で配置される。この時、誘導面１１は、引き戸３０側に面した状態となる。このため、図２Ｃに示すように、引き戸３０が停止位置に到達する前に施錠されると、引き戸３０のロック装置２から上方に突出した突出部２４は誘導面１１に衝突する。これにより、突出部２４が衝突する衝撃を緩和できる。
【００２９】
そして、誘導面１１は、停止方向に向かうにつれ上側ガイド３２の壁部に接近する傾斜を有する。このため、図２Ｄ，２Ｅに示すように、上方に突出して誘導面１１に衝突した突出部２４を、停止方向に向かわせ、進入領域２３に誘導することが可能となる。これにより、引き戸３０をスムーズに停止方向に移動させつつ、ロックを行うことが可能となる。したがって、引き戸３０が停止位置に到達する前に誤って施錠された場合であっても、突出部２４が上側ガイド３２に引っ掛かるのを緩和し、スムーズに引き戸３０をロックすることが可能となる。
【００３０】
また、案内器具１０は、板状となっている。このため、案内器具１０の配置スペースを抑制でき、案内器具１０の取り付けが容易となる。したがって、引き戸３０に限らず、案内器具１０を様々な移動部材のロック装置に用いることができる。
【００３１】
［３．他の実施形態］
以上、本発明を実施するための形態について説明したが、本発明は上述の実施形態に限定されることなく、種々変形して実施することができる。
【００３２】
（１）上記実施形態では、ロック装置２は、引き戸３０の上側の縁部、及び、上側ガイド３２に設けられている。しかし、これに限らず、ロック装置２を、引き戸３０の下側の縁部、及び、下側ガイド３３に設けても良い。つまり、ロック装置２は、施錠の際に突出部２４に下方に突出させ、下側ガイド３３の壁部の進入領域２３に突出部２４を進入させても良い。そして、上記実施形態と同様にして、進入領域２３の非停止方向側に案内器具１０を設けても良い。
【００３３】
（２）上記実施形態では、案内器具１０は、ロック装置２の金具２０に取り付けられる。しかしながら、案内器具１０は、上記実施形態と同様に進入領域２３の非停止方向側に位置する状態で、ガイドの壁部に直接取り付けられても良い。
【００３４】
（３）上記実施形態では、案内器具１０は、誘導面１１全体が傾斜を有した状態となっている。しかしながら、誘導面１１の一部に、上記実施形態と同様、案内器具１０がガイドの壁部に取り付けられた際に、停止方向に向かうにつれ壁部に接近する傾斜を有する状態となる傾斜領域を設けても良い。なお、傾斜領域は、誘導面１１の停止側縁部１２に隣接する位置に設けられていても良い。
【００３５】
（４）上記実施形態では、案内器具１０は、ロック装置２と別の部材として構成されている。しかしながら、案内器具１０は、ロック装置２と一体に構成されていても良い。具体的には、例えば、案内器具１０と金具２０とが一体になっていても良い。また、例えば、ロック装置２における進入領域２３を構成する部材と案内器具１０とが一体になっていても良い。また、案内器具１０は、ガイドと一体となっていても良い。
【００３６】
また、上記実施形態では、案内器具１０は板状の部材となっている。しかしながら、案内器具１０は、例えば角柱状等として構成されていても良い。なお、このような場合には、ガイドの壁部に設けられた収容スペース等に案内器具を配置することが考えられる。この時、案内器具の誘導面がガイドの壁部から突出した状態とし、停止方向に向かうにつれ壁部に接近する傾斜を有した状態にするのが好適である。
【００３７】
（５）上記実施形態では、引き戸３０に設けられたロック装置２に案内器具１０を用いた場合について例示した。しかしながら、引き戸３０以外の移動部材に設けられたロック装置に案内器具１０を用いても良いのは、言うまでもない。
【００３８】
具体的には、建造物の通過口を開閉する開き戸に設けられた同様のロック装置２に、案内器具１０を用いても良い。なお、このような場合、蝶番を中心とした開き戸の回転方向が、移動方向となる。また、上記実施形態と同様、開き戸が通過口の少なくとも一部を閉鎖した状態となる位置が、開き戸の停止位置となる。また、停止位置に向かって開き戸が回転する移動方向が停止方向となり、該方向の反対に向かう移動方向が非停止方向となる。また、通過口の枠における停止位置に位置する開き戸に対面する部分が、壁部となる。また、壁部におけるいずれかの部分に、ロック装置の進入領域が設けられる。そして、上記実施形態と同様にして、非停止方向側に進入領域と並んだ状態で壁部に案内器具１０が設けられる。つまり、案内器具１０の誘導面１１は、引き戸３０側に面した状態となる。また、停止側縁部１２は、進入領域に沿った状態で配置される。このため、誘導面１１は、停止方向に向かうにつれ壁部に接近する傾斜を有する状態となる。
【００３９】
また、建造物以外にも、例えば、棚等の収納器具の開口部を開閉する引き戸又は開き戸に設けられたロック装置に対し、上記実施形態と同様にして案内器具１０を設けても良い。また、例えば、引き出しのロック装置に対し、上記実施形態と同様にして案内器具１０を設けても良い。また、これら以外にも、予め定められた移動経路を予め定められた移動方向に移動する移動部材を、該移動経路上に設けられた停止位置で固定するためのロック装置に対し、上記実施形態と同様にして案内器具１０を設けても良い。
【００４０】
［４．特許請求の範囲との対応］
本実施形態の案内器具１０の誘導面１１、停止側縁部１２、及び、非停止側縁部１１ａが、誘導部の一例に相当する。また、取付面１６が、取付部の一例に相当する。
【符号の説明】
【００４１】
２…ロック装置、１０…案内器具、１１…誘導面、１１ａ…非停止側縁部、１２…停止側縁部、１３…横側面、１４…横側面、１５…非停止側側面、１６…取付面、２０…金具、２１…孔部、２３…進入領域、２４…突出部、３０…引き戸、３１…通過口、３２…上側ガイド、３３…下側ガイド。
【図１】
2017210791.tif 000003
【図２】
2017210791.tif 000004